【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
記憶装置を有する情報処理装置であって、
識別情報に対して、第１のユーザ操作に応答して指定された印刷の設定項目の設定値を示す設定情報と、前記情報処理装置の表示装置上での印刷に関連する複数のアクションの中から第２のユーザ操作に応答して指定されたアクションを示す処理情報とを、割り当てて前記記憶装置に記憶する記憶手段と、
前記表示装置上で、前記識別情報に対応するボタンが提供される第１の画面の表示を制御する表示制御手段と、
前記第１の画面で提供されるボタンに対する第３のユーザ操作に応答して、前記ボタンに対応する識別情報に割り当てられた設定情報を用いて、印刷に用いる設定情報を更新する更新手段と、
前記第１の画面で提供されるボタンに対する第３のユーザ操作に応答して、前記更新手段により更新された設定情報を用いた、前記ボタンに対応する識別情報に割り当てられた処理情報に対応する前記アクションを実行する実行手段と、を有することを特徴とする情報処理装置。
【請求項２】
前記第１の画面には、印刷の実行指示のための印刷ボタンが更に表示されることを特徴とする請求項１に記載の情報処理装置。
【請求項３】
前記第２のユーザ操作に応答して、前記処理情報のアクションとして、印刷の実行指示が指定されていた場合は、
前記更新手段が、前記第３のユーザ操作で指定された前記ボタンに対応する識別情報に割り当てられた設定情報を用いて、印刷に用いる設定情報を更新し、
前記実行手段が、前記ボタンへの操作なしに、前記第１の画面を閉じることを特徴とする請求項１に記載の情報処理装置。
【請求項４】
前記実行手段は、印刷に用いる設定情報の整合性の判定のための判定情報をもとに、前記更新された設定情報に不整合があると判断したときは、前記第１の画面を閉じないことを特徴とする請求項３に記載の情報処理装置。
【請求項５】
前記第２のユーザ操作に応答して、前記処理情報のアクションとして、特定の印刷設定項目とその設定内容とを示す第２の画面を表示する処理が指定されていた場合は、
前記更新手段が、前記第３のユーザ操作で指定された前記ボタンに対応する識別情報に割り当てられた設定情報を用いて、印刷に用いる設定情報を更新し、
前記実行手段が、前記表示装置上に、前記第２の画面の表示を制御することを特徴とする請求項１乃至４のいずれか１項に記載の情報処理装置。
【請求項６】
前記第２のユーザ操作で複数のアクションが指定され、前記複数のアクションのそれぞれが対応する設定に関する前記第２の画面を表示する処理である場合は、
前記実行手段は、前記第１の画面で提供されるボタンに対して前記第３のユーザ操作に続き連続して操作が行われた場合、前記第２のユーザ操作で指定された複数のアクションのそれぞれに対応する設定に従い、前記第２の画面の内容を切り替えることを特徴とする請求項５に記載の情報処理装置。
【請求項７】
前記第２のユーザ操作に応答して、前記処理情報のアクションとして、特定の印刷設定項目とその設定内容とを示す第３の画面を、前記第１の画面とは別のウィンドウで追加表示する処理が指定されていた場合は、
前記更新手段が、前記第３のユーザ操作で指定された前記ボタンに対応する識別情報に割り当てられた設定情報を用いて、印刷に用いる設定情報を更新し、
前記実行手段が、前記表示装置上に、前記第３の画面の表示を制御することを特徴とする請求項１乃至６のいずれか１項に記載の情報処理装置。
【請求項８】
前記第２のユーザ操作に応答して、前記処理情報のアクションとして、印刷についてのヘルプの内容を提供するための第４の画面を表示する処理が指定されていた場合は、
前記更新手段が、前記第３のユーザ操作で指定された前記ボタンに対応する識別情報に割り当てられた設定情報を用いて、印刷に用いる設定情報を更新し、
前記実行手段が、前記表示装置上に、前記第４の画面の表示を制御することを特徴とする請求項１乃至７のいずれか１項に記載の情報処理装置。
【請求項９】
前記実行手段は、印刷に用いる設定情報の整合性の判定のための判定情報をもとに、前記設定情報に不整合があると判断したときは、不整合が生じている旨を報知することを特徴とする請求項１乃至８のいずれか１項に記載の情報処理装置。
【請求項１０】
記憶装置を有する情報処理装置が実行する印刷方法であって、
識別情報に対して、第１のユーザ操作に応答して指定された印刷の設定項目の設定値を示す設定情報と、前記情報処理装置の表示装置上での印刷に関連する複数のアクションの中から第２のユーザ操作に応答して指定されたアクションを示す処理情報とを、割り当てて前記記憶装置に記憶する記憶ステップと、
前記表示装置上で、前記識別情報に対応するボタンが提供される第１の画面の表示を制御する表示制御ステップと、
前記第１の画面で提供されるボタンに対する第３のユーザ操作に応答して、前記ボタンに対応する識別情報に割り当てられた設定情報を用いて、印刷に用いる設定情報を更新する更新ステップと、
前記第１の画面で提供されるボタンに対する第３のユーザ操作に応答して、前記更新ステップにより更新された設定情報を用いた、前記ボタンに対応する識別情報に割り当てられた処理情報に対応する前記アクションを実行する実行ステップと、を含むことを特徴とする印刷方法。
【請求項１１】
記憶装置を有するコンピュータに、
識別情報に対して、第１のユーザ操作に応答して指定された印刷の設定項目の設定値を示す設定情報と、前記コンピュータの表示装置上での印刷に関連する複数のアクションの中から第２のユーザ操作に応答して指定されたアクションを示す処理情報とを、割り当てて前記記憶装置に記憶する記憶ステップと、
前記表示装置上で、前記識別情報に対応するボタンが提供される第１の画面の表示を制御する表示制御ステップと、
前記第１の画面で提供されるボタンに対する第３のユーザ操作に応答して、前記ボタンに対応する識別情報に割り当てられた設定情報を用いて、印刷に用いる設定情報を更新する更新ステップと、
前記第１の画面で提供されるボタンに対する第３のユーザ操作に応答して、前記更新ステップにより更新された設定情報を用いた、前記ボタンに対応する識別情報に割り当てられた処理情報に対応する前記アクションを実行する実行ステップと、を実行させるためのプログラム。
【手続補正２】
【補正対象書類名】明細書
【補正対象項目名】０００６
【補正方法】変更
【補正の内容】
【０００６】
そこで、本発明に係る情報処理装置は、記憶装置を有する情報処理装置であって、識別情報に対して、第１のユーザ操作に応答して指定された印刷の設定項目の設定値を示す設定情報と、前記情報処理装置の表示装置上での印刷に関連する複数のアクションの中から第２のユーザ操作に応答して指定されたアクションを示す処理情報とを、割り当てて前記記憶装置に記憶する記憶手段と、前記表示装置上で、前記識別情報に対応するボタンが提供される第１の画面の表示を制御する表示制御手段と、前記第１の画面で提供されるボタンに対する第３のユーザ操作に応答して、前記ボタンに対応する識別情報に割り当てられた設定情報を用いて、印刷に用いる設定情報を更新する更新手段と、前記第１の画面で提供されるボタンに対する第３のユーザ操作に応答して、前記更新手段により更新された設定情報を用いた、前記ボタンに対応する識別情報に割り当てられた処理情報に対応する前記アクションを実行する実行手段と、を有することを特徴とする。